(57)【要約】      （修正有）【課題】慶弔用ふくさとしての装飾性と優雅さを保ちながら、祝・不祝儀袋の収容大きさに特に厚みに対して柔軟に装入収容し、気品を保ち、贈る際の違和感を相手に与えず自然に装出して渡すことができる使い良い且つ安価な慶弔用ふくさを提供する。【解決手段】二折り型或いは三折り型等の複数折り型でその一折り部Ｆ１の内面に、祝・不祝儀袋を入れるポケットＰ１を設けた慶弔用ふくさにおいて、ポケットＰ１は、両側の一方１００と下端２００を閉じ、両側の他方３００と上端４００を開放して装入口５００−１を形成する。ポケットＰ１の装入口５００−１の縁を連続的に湾曲線、又は複数辺の直線、或いは湾曲線と直線で形成する。【選択図】図１
0003161771.tif 000002
【実用新案登録請求の範囲】
【請求項１】
二折り型或いは三折り型等の複数折り型でその一折り部Ｆ１の内面に、祝・不祝儀袋を入れるポケットＰ１，Ｐ２を設けた慶弔用ふくさにおいて、
前記ポケットＰ１，Ｐ２は、両側の一方１００と下端２００を閉じ、両側の他方３００と上端４００を開放して装入口５００−１，５００−２を形成したことを特徴とする慶弔用ふくさ。
【請求項２】
前記ポケットＰ１，Ｐ２の装入口５００−１，５００−２の縁を連続的に湾曲線又は複数辺の直線、又は湾曲線と直線で形成したことを特徴とする上記（１）に記載の慶弔用ふくさ。
【考案の詳細な説明】
【技術分野】
【０００１】  本考案は、祝儀袋（熨斗袋）、不祝儀袋等を収容する慶弔用ふくさに関するものである。
【背景技術】
【０００２】  叙勲や役職就任などの場合の祝い、婚礼、出産祝い、成人・就職のお祝い、長寿の祝い、葬式や法事、病気見舞い、災害見舞い、祭事などには、紙幣、商品券、図書券、宿泊券、旅行券、ホテル利用券などを直接入れる中包み奉書紙で折り畳んで包み、これを適宜水引にて結んでなる祝儀袋（熨斗袋）、不祝儀袋に包装して、贈り物として差し出す習慣があり、贈るために持参する場合には、これらの贈り物は、礼服のポケットやハンドバッグから直接出して渡すのは失礼に当たるとされ、予め、慶弔用ふくさ、或は地味な風呂敷に包んで持参し、贈る際に贈り物を“慶弔用ふくさ”から取り出して差すのが礼にかなった作法、マナーとされている。【０００３】  本考案は、慶弔用ふくさ（袱紗）に関するものであるが、従来の慶弔用ふくさは、二折り型、或いは三折り型などでその一折り部の内面に、前記祝・不祝儀袋を入れるポケット（袋収容部）を形成してある。
この慶弔用ふくさの一折り部のポケットは、従来から両側と下端を閉じた上口開放型が、一般的である。しかしこれでは、ポケットの容量が固定されているので、祝・不祝儀袋の収容大きさに限界がある。例えば多くの贈り物を入れて厚くなった祝・不祝儀袋を収容することができなくなる。また限界に近い祝・不祝儀袋を無理に入れると優雅さと気品を喪失し、贈る際には不愉快感を与える。
【特許文献１】特開
【考案の開示】
【考案が解決しようとする課題】
【０００６】  本考案は、慶弔用ふくさとしての装飾性と優雅さを保ちながら、祝・不祝儀袋の収容大きさに特に厚みに対して柔軟に装入収容し、気品を保ち、贈る際の違和感を相手に与えず自然に装出して渡すことができる使い良い且つ安価に製作できる慶弔用ふくさを提供するものである。
【課題を解決するための手段】
【０００８】上記課題を満足させる本考案の基本的な技術構成は、次の（１）の通りである。
（１），二折り型或いは三折り型等の複数折り型でその一折り部の内面に、祝・不祝儀袋を入れるポケットＰを設けた慶弔用ふくさにおいて、
前記ポケットＰは、両側の一方１００と下端２００を閉じ、両側の他方３００と上端４００を開放して装入口５００を形成したことを特徴とする慶弔用ふくさ。
（２），前記ポケットＰの装入口５００の縁を連続的に湾曲線又は複数辺の直線で形成したことを特徴とする上記（１）に記載の慶弔用ふくさ。
【考案の効果】
【０００９】  本考案の慶弔用ふくさは、装飾性と優雅さを保ちながら、祝・不祝儀袋の大きさ特に厚みに対して柔軟に装入して収容し、気品を保ち、贈る際の違和感を相手に与えず渡すことができる使い良い慶弔用ふくさである。また製作工程も開口部が広く簡単化でき安価に製作することができるものである。
【考案を実施するための最良の形態】
【００１０】  而して、本考案の慶弔用ふくさを実施するための最良の形態は、次に紹介する実施例により詳細に説明する。
図１は、本考案の実施例１の二折り型の慶弔用ふくさを開いて内側から見た平面図である。
図２は、本考案の実施例２の三折り型の慶弔用ふくさを開いて内側から見た平面図である。
【実施例１】
【００１１】  図１において、慶弔用ふくさは、一折り部Ｆ１と二折り部Ｆ２とからなる二折り型でその一折り部Ｆ１の内面に、祝・不祝儀袋ＳＨを入れるポケットＰ１を設け、ポケットＰ１は、両側の一方１００と下端２００を閉じ、両側の他方３００と上端４００を開放して装入口５００−１を形成し、装入口５００−１の縁を二辺の直線で形成したものである。
【実施例２】
【００１１】  図２において、慶弔用ふくさは、一折り部Ｆ１と二折り部Ｆ２と三折り部Ｆ３からなる三つ折り型でその一折り部Ｆ１の内面に、祝・不祝儀袋ＳＨを入れるポケットＰ２を設け、ポケットＰ２は、両側の一方１００と下端２００を閉じ、両側の他方３００と上端４００を開放して装入口５００−２を形成し、装入口５００−２の縁を直線と連続した湾曲線で形成したものである。【００１１】  これらの慶弔用ふくさは、実施例２を代表して図３に示すように、祝・不祝儀袋ＳＨをポケットＰ２に装入するには、両側の他方３００と上端４００が開放した装入口５００−２に、斜め上から迅速に装入することができるので、祝・不祝儀袋ＳＨの大きさの自由度が大幅に拡大してポケットＰ２を大きく変形させることなく、無理なく収容させかつ取り出すことができるものである。
【産業上の利用可能性】
【００１２】  本考案の慶弔用ふくさは、前記の如く、優れた作用効果がある。
このため利用する一般家庭は勿論のこと、製造、販売する慶弔産業界の発展に貢献すること多大なものがある。
【図面の簡単な説明】
【００１３】
【図１】本考案の実施例１の二折り型の慶弔用ふくさを開いて内側から見た平面図である。
【図２】本考案の実施例２の三折り型の慶弔用ふくさを開いて内側から見た平面図である。
【符号の説明】
【００１２】ＳＨ：祝・不祝儀袋
Ｆ１：一折り部
Ｆ２：二折り部
Ｆ３：三折り部
１００：ポケットの両側の一方
２００：ポケットの下端
３００：ポケットの両側の他方
４００：ポケットの上端
５００−１，５００−２：ポケットの装入口
Ｐ１，Ｐ２：ポケット
【図１】
0003161771.tif 000003
【図２】
0003161771.tif 000004
【図３】
0003161771.tif 000005
【手続補正書】
【提出日】平成22年5月24日(2010.5.24)
【手続補正２】
【補正対象書類名】実用新案登録請求の範囲
【補正対象項目名】全文
【補正方法】変更
【補正の内容】
【実用新案登録請求の範囲】
【請求項１】
二折り型或いは三折り型等の複数折り型でその一折り部（Ｆ１）の内面に、祝・不祝儀袋を入れるポケット（Ｐ１，Ｐ２）を設けた慶弔用ふくさにおいて、
前記ポケットＰ（１，Ｐ２）は、両側の一方（１００）と下端（２００）を閉じ、両側の他方（３００）と上端（４００）を開放して装入口（５００−１，５００−２）を形成したことを特徴とする慶弔用ふくさ。
【請求項２】
前記ポケット（Ｐ１，Ｐ２）の装入口（５００−１，５００−２）の縁を連続的に湾曲線又は複数辺の直線、又は湾曲線と直線で形成したことを特徴とする請求項１に記載の慶弔用ふくさ。